(57)【要約】      （修正有）【課題】地面への打ち込みの作業性が良好な獣類侵入防止柵用支柱を提供する。【解決手段】金属製の軸体からなり、地面に対して起立し、柵体が固定される固定支柱部２と、固定支柱部２の下端に位置し、保護領域から非保護領域へ向かって延びる延長支柱部３と、その延長支柱部３の非保護領域側の端部に位置し、下方に延びる基礎支柱部４とを有する。地面に近い延長支柱部を木槌、ハンマーなどで叩くことによって、基礎支柱部をより容易に地面に打ち込むことができる。【選択図】図１
0003206704.tif 000002
【実用新案登録請求の範囲】
【請求項１】
保護領域内への獣類の侵入を防止する柵体（１０）を支える軸体からなる獣類侵入防止柵用支柱であって、地面に対して起立し、前記柵体（１０）が固定される固定支柱部（２）と、その固定支柱部（２）の下端から地面に沿って延びる延長支柱部（３）と、その延長支柱部（３）の前記固定支柱部（２）と反対側の端部から下方に延びる基礎支柱部（４）とを有する獣類侵入防止柵用支柱。
【請求項２】
前記延長支柱部（３）は、前記固定支柱部（２）側の端部が前記保護領域側に位置し、前記基礎支柱部（４）側の端部が前記保護領域以外の非保護領域側に位置する状態である請求項１に記載の獣類侵入防止柵用支柱。
【請求項３】
前記固定支柱部（２）及び基礎支柱部（４）が軸心方向に間隔をおいて配置された複数のリブ（６）を有し、それぞれのリブ（６）が周方向に形成されている請求項１または２に記載の獣類侵入防止柵用支柱。
【請求項４】
前記延長支柱部（３）が接地部材（１２）を有する請求項１乃至３のいずれかに記載の獣類侵入防止柵用支柱。
【請求項５】
前記接地部材（１２）が平板状であって、その下面が地面を臨む状態である請求項４に記載の獣類侵入防止柵用支柱。
【考案の詳細な説明】
【技術分野】
【０００１】
この考案は、鹿、猪、狸などの獣類が田畑や放牧地などに侵入することを防止する獣類侵入防止柵を支える獣類侵入防止柵用支柱に関する。
【背景技術】
【０００２】
鹿、猪、狸などの獣類が田畑や放牧地等に侵入して農作物を食い荒らすことを防止するための対策として、その田畑や放牧地等の周囲に獣類侵入防止柵の設置が行われている。
【０００３】
この獣類侵入防止柵として、所定の間隔をあけて地面に打ち込まれた複数の支柱に主柵体が支持され、その主柵体の下部に、地面に沿って設けられた裾柵体と、その裾柵体の端部から動物の侵入方向に斜め上方に突出する踏切り攪乱用柵体とを備えたものが知られている（特許文献１参照）。
【０００４】
この獣類侵入防止柵は、裾柵体によりその下方の地面を掘り起こす距離が長くなり、踏切り攪乱用柵体により、主柵体を飛び越える獣類の跳躍すべき距離が長くなるので、獣類の獣類侵入防止柵内への侵入を防止することができる。
【先行技術文献】
【特許文献】
【０００５】
【特許文献１】特開２０１２−２３１７０４号公報
【考案の概要】
【考案が解決しようとする課題】
【０００６】
特許文献１に記載された獣類侵入防止柵は、主柵体を飛び越えて侵入しようとする獣類、特に鹿の侵入を防止するためには、主柵体の高さを十分に高く（例えば、１．５〜２ｍ程度）する必要があり、主柵体を支える支柱の高さも高くする必要があった。
【０００７】
支柱を地面に打ち込む際、脚立などの上に立ち、地面からの支柱の高さが所定高さとなるまで支柱の上端を木槌やハンマーなどの工具で何度も叩き、支柱の下部を地面に埋め込む必要があった。
【０００８】
このような脚立などの上での支柱の打ち込み作業は不安定であり、地面からの支柱の高さが高くなるほど、重労働となり、作業性が悪いという問題があった。
【０００９】
そこで、この考案の課題は、地面への打ち込みの作業性が良好な獣類侵入防止柵用支柱を提供することにある。
【課題を解決するための手段】
【００１０】
前記の課題を解決するために、保護領域内への獣類の侵入を防止する柵体を支える軸体からなる獣類侵入防止柵用支柱であって、地面に対して起立し、前記柵体が固定される固定支柱部と、その固定支柱部の下端から地面に沿って延びる延長支柱部と、その延長支柱部の前記固定支柱部と反対側の端部から下方に延びる基礎支柱部とを有する構成を採用することができる。
【００１１】
この構成によると、固定支柱部の上端よりも地面に近い延長支柱部を木槌、ハンマーなどで叩くことによって、基礎支柱部を地面に打ち込むことができる。また、地面に接するまで延長支柱部を打ち込めばよく、延長支柱部が基礎支柱部の打ち込み位置の目印となる。
【００１２】
前記構成において、前記延長支柱部は、前記固定支柱部側の端部が前記保護領域側に位置し、前記基礎支柱部側の端部が前記保護領域以外の非保護領域側に位置する状態である構成を採用することができる。
【００１３】
通常、獣類が衝突したり、もたれかかったりすることで、獣類侵入防止柵の柵体に対して非保護領域から保護領域へ向かう外力が作用する。この外力によって柵体が固定された固定支柱部に荷重が負荷される。このような荷重が負荷されたとき、延長支柱部の固定支柱部側の端部が地面を押し付けるため、その荷重を地面で受けることができる。
【００１４】
前記固定支柱部及び基礎支柱部が軸心方向に間隔をおいて配置された複数のリブを有し、それぞれのリブが周方向に形成されている構成を採用することができる。この構成によると、固定支柱部の隣り合うリブの間に、例えば、針金や結束帯などを巻き付けて柵体を固定することで、下方のリブにより針金などの下方への移動を規制することができる。
【００１５】
また、地面に挿し込まれた基礎支柱部は、リブにより地面に対して、より大きなアンカー効果が生じるので地面から抜け出にくくなる。
【００１６】
また、前記延長支柱部が接地部材を有する構成を採用すると、延長支柱部は接地部材の接地面積分だけ接地面積が大きくなる。このため、地盤が緩い場所に設置した場合や、積雪に伴い雪の重さで柵体へ負荷が掛かる場合など、獣類侵入防止柵用支柱が地面に対して沈み込むこと防止することができる。
【００１７】
前記接地部材が平板状であって、その下面が地面を臨む状態である構成を採用することができる。接地部材の下面の全面が接地面となり、より大きな接地面積を確保することができる。
【考案の効果】
【００１８】
以上のように、この考案は、延長支柱部を叩くことで基礎支柱部を地面に挿し込むことができるので、固定支柱部の上端を叩くための脚立などが不要となり、打ち込み作業の効率が向上する。
【図面の簡単な説明】
【００１９】
【図１】（ａ）この考案の第一実施形態に係る獣類侵入防止柵用支柱の正面図、（ｂ）同上の獣類侵入防止柵用支柱の側面図
【図２】（ａ）同上の獣類侵入防止柵用支柱の使用状態を示す正面図、（ｂ）同上の獣類侵入防止柵用支柱の使用状態を示す側面図
【図３】（ａ）柵体の固定状態を示す斜視図、（ｂ）柵体の固定状態を示す側面図、（ｃ）柵体の固定状態を示す断面図
【図４】第二の実施形態に係る獣類侵入防止柵用支柱の斜視図
【図５】同上の獣類侵入防止柵用支柱の使用状態の要部を示す正面図
【考案を実施するための形態】
【００２０】
以下、この考案の第一実施形態に係る獣類侵入防止柵用支柱を添付図面の図１〜図３に基づいて説明する。この実施形態に係る獣類侵入防止柵用支柱１は金属製の軸体からなり、田畑や放牧地等の保護領域Ａ１内への獣類の侵入を防止する柵体１０が固定されている。
【００２１】
獣類侵入防止柵用支柱１（以下、単に支柱１と称する）は、柵体１０が固定され、地面Ｇに対して起立する固定支柱部２と、固定支柱部２の下端に位置し、地面に沿って延びる延長支柱部３と、延長支柱部３の固定支柱部２と反対側の端部に位置し、下方に延びる基礎支柱部４とを有する。
【００２２】
固定支柱部２は、図３（ｃ）に示すように、断面が円形の軸体からなる。固定支柱部２は、その外周部に軸線方向に沿って形成された突条５と、軸線方向に一定のピッチで間隔をおいて周方向に延びる複数のリブ６、６・・・とを有する。
【００２３】
突条５は、固定支柱部２の軸線を挟んで直径方向両側の二箇所に形成される。リブ６は、固定支柱部２の半周ごとに軸線方向の位置が半ピッチ分ずれて形成される。突条５及びリブ６は、その突出高さが同じであって、突条５及びリブ６の頂面は連続面となっている。
【００２４】
固定支柱部２の高さ（地面からの高さ）は、保護領域Ａ１への侵入を防止する獣類に応じて、設定される。例えば、獣類が鹿、猪、狸等であれば、１．０ｍ〜２．５ｍに設定される。
【００２５】
延長支柱部３は、固定支柱部の下端に配置され、断面が円形の軸体からなる。延長支柱部３は、図２（ｂ）に示すように、固定支柱部２の下端に配置されており、保護領域Ａ１から非保護領域Ａ２へ向かって地面Ｇに沿って延び出している。なお、非保護領域Ａ２とは、保護領域Ａ１以外の領域をいう。
【００２６】
延長支柱部３は、固定支柱部２と同様に、その外周部に軸線方向に沿って形成された突条５と、軸線方向に一定のピッチで間隔をおいて周方向に延びる複数のリブ６、６・・・とを有する。
【００２７】
延長支柱部３の長さは、支柱１の設置時に、ハンマー、木槌等の工具を延長支柱部３に対して打ち込み可能な長さに設定される。例えば、５〜２０ｃｍに設定される。
【００２８】
基礎支柱部４は、断面円形の軸体からなり、延長支柱部３の固定支柱部２と反対側の端部（非保護領域Ａ２側の端部）に配置され、下方に延び出している。また、基礎支柱部４は、固定支柱部２と同様に、その外周部に軸線方向に沿って形成された突条５と、軸線方向に一定のピッチで間隔をおいて周方向に延びる複数のリブ６、６・・・とを有する。
【００２９】
基礎支柱部４の長さは、その基礎支柱部４が地面に打ち込まれた状態で、固定支柱部２に固定された柵体１０が自重で非保護領域Ａ２側に倒れないような長さに設定される。具体的には、４０〜１００ｃｍに設定されている。
【００３０】
支柱１としては、鋳鉄、鋼（工具鋼、特殊鋼）などの鉄系材料を採用することが可能であり、耐食性、曲げ強度に優れるものが好ましい。なお、支柱１は、金属製の軸体からなる固定支柱部２、延長支柱部３及び基礎支柱部４を溶接により一体化して作成してもよい。また、金属製の軸体を折り曲げ加工することにより、固定支柱部２、延長支柱部３及び基礎支柱部４を有する支柱１を作成してもよい。
【００３１】
固定支柱部２に固定される柵体１０は、間隔をおいて配列された複数の横線材１０ａ及び縦線材１０ｂが格子状に組み合わされた金網である。柵体１０は、固定支柱部２に対して非保護領域Ａ２側に配置され、横線材１０ａと縦線材１０ｂの交点部分が固定支柱部２に固定される。
【００３２】
柵体１０の横線材１０ａは、図３に示すように固定支柱部２の隣り合うリブ６、６の間に配置されている。リブ６により、横線材１０ａの上下方向の移動が規制される。
【００３３】
縦線材１０ｂは、固定支柱部２に沿って上下方向に配置され、横線材１０ａを固定支柱部２に押し付けた状態で固定支柱部２に固定される。縦線材１０ｂの固定支柱部２に対する固定は、図３（ａ）〜（ｃ）に示すように、固定支柱部２に巻き回した針金１１の両端部を相互に捩ることでなされる。
【００３４】
それぞれの縦線材１０ｂの間隔は、保護領域Ａ１への侵入防止の対象となる獣類により、適宜設定され、例えば、１０〜１５ｃｍに設定される。それぞれの横線材１０ａの間隔は、図２（ａ）に示すように、柵体１０の上部が下部と比較して広い間隔となっている。例えば、柵体１０の上部では、それぞれの縦線材１０ｂの間隔と同じ間隔であり、柵体１０の下部では、それぞれの縦線材１０ｂの間隔の半分の間隔となっている。
【００３５】
この実施形態では柵体１０は金網であるが、天然繊維、合成繊維又はこれらの混合繊維を素材とする紐体を格子状に編んだ網状体であってもよい。
【００３６】
また、固定支柱部２に対する柵体１０の固定は、針金１１を用いているが、これに限られない。例えば、樹脂製の結束帯、天然繊維、合成繊維又はこれらの混合繊維を素材とする紐体などを用いてもよい。
【００３７】
この実施形態に係る支柱１は、以上のように構成される。次に、支柱１の設置について説明する。まず、保護領域Ａ１の周囲において、支柱１を地面上で起立状態に保持する。このとき、延長支柱部３の固定支柱部２側の端部を保護領域Ａ１側に位置させ、延長支柱部３の基礎支柱部４側の端部を被保護領域Ａ２側に位置させる。
【００３８】
続いて、支柱１を起立状態に保持しつつ、延長支柱部３をハンマー、木槌などの工具で叩き、基礎支柱部４を地面に打ち込む。ここで、延長支柱部３は、固定支柱部２の上端よりも低い位置にある。
【００３９】
このため、従来のように脚立の上に立って、支柱の上端を工具で叩く必要がなく、地面に立った状態、あるいは座った状態で延長支柱部３を叩くことが可能となり、効率良く支柱１の打ち込み作業を行うことができる。
【００４０】
さらに、延長支柱部３を地面に接するまで打ち込むことにより、基礎支柱部４が確実に地面に打ち込まれるので、延長支柱部３が基礎支柱部４の打ち込み位置の目印となる。延長支柱部３が地面に接することで、地盤の緩い箇所である場合や、積雪に伴い柵体１０に雪の重みが負荷される場合であっても、支柱１の沈み込みを防止することができる。
【００４１】
また、固定支柱部２の高さが予め設定されている。このため、複数の支柱１について、延長支柱部３を地面に接するまで打ち込むことで、地面からの固定支柱部２の高さが揃い景観が良いものとなる。
【００４２】
基礎支柱部４は、軸心方向に間隔をおいて配置されたリブ６を有する。これらのリブ６が地中に食い込むことにより、アンカー効果を奏するため、支柱１が地面から抜け出にくくなる。
【００４３】
基礎支柱部４が地面に打ち込まれることで、支柱１は固定支柱部２が地面から起立した状態に設置される。また、延長支柱部３は、固定支柱部２の下端に配置されて、保護領域Ａ１から非保護領域Ａ２へ向かって地面に沿って延びる状態となっている。
【００４４】
このように設置される支柱１と同様に、保護領域Ａ１の周囲に一定の間隔をおいて、他の支柱１を複数設置する。その後、複数設置された支柱１のそれぞれの固定支柱部２に柵体１０を上述した針金１１を用いて固定する。
【００４５】
このようにして、保護領域Ａ１の周囲に柵体１０が張り巡らされる。柵体１０に対して、獣類が衝突したり、もたれかかったりして、非保護領域Ａ２から保護領域Ａ１へ向かう外力が作用する。
【００４６】
この外力によって、柵体１０が固定された固定支柱部２に荷重が負荷される。固定支柱部２に荷重が負荷されたとき、延長支柱部３の固定支柱部２側の端部が地面を押し付けるため、その荷重を地面で受けることができる。
【００４７】
この考案の第二実施形態に係る獣類侵入防止柵用支柱を図４、５に基づいて説明する。この実施形態は、延長支柱部３が接地部材１２を有する点で、上述の第一実施形態と相違する。その他の構造は第一実施形態と同じと考えられ、同じ符号を付してその説明を省略する。
【００４８】
延長支柱部３は、図４に示すように、その下方に板状の接地部材１２を有している。接地部材１２は、矩形の金属製の板状部材からなり、その長さ方向が延長支柱部３の長さ方向と一致する状態となっている。
【００４９】
接地部材１２は、その下面が地面Ｇを臨む状態で、延長支柱部３に対して溶接により固定されている。このため、図５に示すように、支柱１を地面に設置した状態において、接地部材１２の下面が地面Ｇに接している。
【００５０】
この第二実施形態では、支柱１を設置した場合、延長支柱部３は接地部材１２により、より大きな接地面積を確保することが可能となる。その結果、第一実施形態の支柱１と比較して、地盤の緩い箇所である場合や、積雪に伴い柵体１０に雪の重みが負荷される場合であっても、より効果的に支柱１の沈み込みを防止することができる。
【００５１】
なお、接地部材１２は、板状部材に限られず、支柱１を地面Ｇに設置した状態において、地面Ｇに対する接地面を有するものであればよい。
【符号の説明】
【００５２】
１  獣類侵入防止柵用支柱（支柱）
２  固定支柱部
３  延長支柱部
４  基礎支柱部
５  突条
６  リブ
１０  柵体
１０ａ  横線材
１０ｂ  縦線材
１１  針金
１２  接地部材
Ａ１  保護領域
Ａ２  非保護領域
Ｇ  地面
【図１】
0003206704.tif 000003
【図２】
0003206704.tif 000004
【図３】
0003206704.tif 000005
【図４】
0003206704.tif 000006
【図５】
0003206704.tif 000007